【手続補正書】
【提出日】平成29年3月28日(2017.3.28)
【手続補正１】
【補正対象書類名】特許請求の範囲
【補正対象項目名】全文
【補正方法】変更
【補正の内容】
【特許請求の範囲】
【請求項１】
独立に発光を制御可能な複数の制御ブロックを有する発光部と、
前記発光部の複数の位置における輝度を検出する複数の輝度センサと、
前記発光部の複数の位置における温度を検出する複数の温度センサと、
前記輝度センサと前記温度センサから取得するセンサ値に基づき前記複数の制御ブロックの輝度を算出する算出手段と、
前記算出手段により算出された各制御ブロックの輝度に基づき前記各制御ブロックの発光量を制御する制御手段と、
を備え、
前記算出手段は、前記発光部の温度変化の速さが第１の閾値以上である場合、前記複数の制御ブロックのうち少なくとも１つの制御ブロックについては、前記輝度センサからセンサ値を取得せずに、前記温度センサから取得するセンサ値に基づき輝度を算出する発光装置。
【請求項２】
前記算出手段は、前記複数の制御ブロックのうち前記発光部の温度変化の速さに応じて決められる数の制御ブロックについては、前記輝度センサからセンサ値を取得せずに、前記温度センサから取得するセンサ値に基づき輝度を算出する請求項１に記載の発光装置。
【請求項３】
前記算出手段が前記輝度センサからセンサ値を取得して輝度を算出する制御ブロックの数は、前記発光部の温度変化が速いほど少ない請求項２に記載の発光装置。
【請求項４】
前記算出手段は、前記複数の制御ブロックのうち一部の制御ブロックについて前記輝度センサからセンサ値を取得して輝度を算出し、他の制御ブロックについて前記輝度センサからセンサ値を取得せずに輝度を算出する場合、前記一部の制御ブロックの輝度に基づき前記他の制御ブロックの輝度を算出する請求項１〜３のいずれか１項に記載の発光装置。
【請求項５】
前記算出手段により算出された前記各制御ブロックの輝度と、当該輝度が算出されたときの前記各制御ブロックの温度と、を記憶する記憶手段を更に備え、
前記算出手段は、全ての制御ブロックについて前記輝度センサからセンサ値を取得せずに輝度を算出する場合、前記記憶手段に記憶されている輝度及び温度と、前記温度センサから取得するセンサ値とに基づき前記各制御ブロックの輝度を算出する請求項１〜３のい
ずれか１項に記載の発光装置。
【請求項６】
前記算出手段は、前記発光部の温度変化の速さが第１の閾値以上である場合、全ての制御ブロックについて、前記輝度センサからセンサ値を取得せずに輝度を算出する請求項１〜５のいずれか１項に記載の発光装置。
【請求項７】
前記算出手段は、前記複数の制御ブロックのうちいずれかの制御ブロックにおける温度変化の速さが第１の閾値以上である場合、全ての制御ブロックについて、前記輝度センサからセンサ値を取得せずに輝度を算出する請求項６に記載の発光装置。
【請求項８】
前記算出手段は、前記発光部の温度変化の速さが第１の閾値より小さい場合、全ての制御ブロックについて、前記輝度センサからセンサ値を取得して、前記輝度センサから取得するセンサ値と前記温度センサから取得するセンサ値とに基づき輝度を算出する請求項６又は７に記載の発光装置。
【請求項９】
前記算出手段は、前記複数の制御ブロックの全てにおいて温度変化の速さが第１の閾値より小さい場合、全ての制御ブロックについて、前記輝度センサからセンサ値を取得して、前記輝度センサから取得するセンサ値と前記温度センサから取得するセンサ値とに基づき輝度を算出する請求項８に記載の発光装置。
【請求項１０】
前記算出手段は、
前記発光部の温度変化の速さが第１の閾値以上である場合、全ての制御ブロックについて、前記輝度センサからセンサ値を取得せずに輝度を算出し、
前記発光部の温度変化の速さが第１の閾値より小さく、かつ、第１の閾値より小さい第２の閾値以上である場合、前記複数の制御ブロックのうち一部の制御ブロックについて、前記輝度センサからセンサ値を取得して、前記輝度センサから取得するセンサ値と前記温度センサから取得するセンサ値とに基づき輝度を算出する請求項１〜５のいずれか１項に記載の発光装置。
【請求項１１】
前記算出手段は、
前記複数の制御ブロックのうちいずれかの制御ブロックにおける温度変化の速さが第１の閾値以上である場合、全ての制御ブロックについて、前記輝度センサからセンサ値を取得せずに輝度を算出し、
前記複数の制御ブロックのうちいずれかの制御ブロックにおける温度変化の速さが第２の閾値以上である場合、前記複数の制御ブロックのうち一部の制御ブロックについて、前記輝度センサからセンサ値を取得して、前記輝度センサから取得するセンサ値と前記温度センサから取得するセンサ値とに基づき輝度を算出する請求項１０に記載の発光装置。
【請求項１２】
前記算出手段は、前記発光部の温度変化の速さが第２の閾値より小さい場合、全ての制御ブロックについて、前記輝度センサからセンサ値を取得して、前記輝度センサから取得するセンサ値と前記温度センサから取得するセンサ値とに基づき輝度を算出する請求項１０又は１１に記載の発光装置。
【請求項１３】
前記算出手段は、前記複数の制御ブロックの全てにおいて温度変化の速さが第２の閾値より小さい場合、全ての制御ブロックについて、前記輝度センサからセンサ値を取得して、前記輝度センサから取得するセンサ値と前記温度センサから取得するセンサ値とに基づき輝度を算出する請求項１２に記載の発光装置。
【請求項１４】
所定の間隔をおいて前記温度センサから取得されるセンサ値の差分に基づき前記発光部の温度変化の速さが算出される請求項１〜１３のいずれか１項に記載の発光装置。
【請求項１５】
前記発光装置の状態を示す情報を取得する取得手段を更に備え、
前記算出手段が前記輝度センサからセンサ値を取得して輝度を算出する制御ブロックの数は、前記発光装置が前記発光部の温度変化が速くなる所定の状態である場合、それ以外の場合よりも少ない請求項１〜１４のいずれか１項に記載の発光装置。
【請求項１６】
前記所定の状態は、前記発光装置が起動したとき、待機状態から復帰したとき、又は設置角度が変化したときの状態を含む請求項１５に記載の発光装置。
【請求項１７】
前記算出手段は、前記輝度センサからセンサ値を取得して前記制御ブロックの輝度を算出する場合、所定期間、当該輝度を算出する対象の制御ブロックのみ点灯させ、それ以外の制御ブロックを消灯させ、当該所定期間に前記輝度センサからセンサ値を取得する請求項１〜１６のいずれか１項に記載の発光装置。
【請求項１８】
前記算出手段は、前記輝度センサから取得するセンサ値を、前記温度センサから取得するセンサ値に応じた温度補償係数を用いて補正することにより、前記制御ブロックの輝度を算出する請求項１〜１７のいずれか１項に記載の発光装置。
【請求項１９】
請求項１〜１８のいずれか１項に記載の発光装置をバックライトとして備える画像表示装置。
【請求項２０】
独立に発光を制御可能な複数の制御ブロックを有する発光部と、
前記発光部の複数の位置における輝度を検出する複数の輝度センサと、
前記発光部の複数の位置における温度を検出する複数の温度センサと、
を備える発光装置の制御方法であって、
前記輝度センサと前記温度センサから取得するセンサ値に基づき前記複数の制御ブロックの輝度を算出する算出工程と、
前記算出工程により算出された各制御ブロックの輝度に基づき前記各制御ブロックの発光量を制御する制御工程と、
を有し、
前記算出工程では、前記発光部の温度変化の速さが第１の閾値以上である場合、前記複数の制御ブロックのうち少なくとも１つの制御ブロックについては、前記輝度センサからセンサ値を取得せずに、前記温度センサから取得するセンサ値に基づき輝度を算出する発光装置の制御方法。
【手続補正２】
【補正対象書類名】明細書
【補正対象項目名】００１１
【補正方法】変更
【補正の内容】
【００１１】
本発明は、独立に発光を制御可能な複数の制御ブロックを有する発光部と、
前記発光部の複数の位置における輝度を検出する複数の輝度センサと、
前記発光部の複数の位置における温度を検出する複数の温度センサと、
前記輝度センサと前記温度センサから取得するセンサ値に基づき前記複数の制御ブロックの輝度を算出する算出手段と、
前記算出手段により算出された前記各制御ブロックの輝度に基づき前記各制御ブロックの発光量を制御する制御手段と、
を備え、
前記算出手段は、前記発光部の温度変化の速さが第１の閾値以上である場合、前記複数の制御ブロックのうち少なくとも１つの制御ブロックについては、前記輝度センサからセ
ンサ値を取得せずに、前記温度センサから取得するセンサ値に基づき輝度を算出する発光装置である。
【手続補正３】
【補正対象書類名】明細書
【補正対象項目名】００１２
【補正方法】変更
【補正の内容】
【００１２】
本発明は、独立に発光を制御可能な複数の制御ブロックを有する発光部と、
前記発光部の複数の位置における輝度を検出する複数の輝度センサと、
前記発光部の複数の位置における温度を検出する複数の温度センサと、
を備える発光装置の制御方法であって、
前記輝度センサと前記温度センサから取得するセンサ値に基づき前記複数の制御ブロックの輝度を算出する算出工程と、
前記算出工程により算出された前記各制御ブロックの輝度に基づき前記各制御ブロックの発光量を制御する制御工程と、
を有し、
前記算出工程では、前記発光部の温度変化の速さが第１の閾値以上である場合、前記複数の制御ブロックのうち少なくとも１つの制御ブロックについては、前記輝度センサからセンサ値を取得せずに、前記温度センサから取得するセンサ値に基づき輝度を算出する発光装置の制御方法である。